(57)【特許請求の範囲】
【請求項１】
紙幣が投入される紙幣投入口と、
前記紙幣投入口に投入された紙幣を鑑別する紙幣鑑別部と、
紙幣が集積される集積部と、
前記集積部に集積された紙幣を結束する施封部と、
紙幣を収納する収納部と、
前記紙幣鑑別部による鑑別結果が所定の第１の施封対象金種を示す紙幣を前記集積部に集積させ、前記鑑別結果が前記第１の施封対象金種以外を示す紙幣を前記収納部に収納させる制御部と、
を備え、
前記収納部は、第１の収納部および第２の収納部を含み、
前記制御部は、前記鑑別結果が所定の第２の施封対象金種を示す紙幣を前記第１の収納部に収納させ、前記鑑別結果が前記第１の施封対象金種以外および前記第２の施封対象金種以外を示す紙幣を前記第２の収納部に収納させ、
前記制御部は、所定のトリガを検出すると、前記第１の収納部に収納されている前記第２の施封対象金種を示す紙幣を前記集積部に集積させる、
現金処理装置。
【請求項２】
前記集積部は、前記施封部が有する集積庫であり、
前記第１の収納部は、前記紙幣投入口に投入された紙幣を一時的に保留可能な紙幣一時保留部であり、
前記第２の収納部は、リジェクト紙幣を収納するリジェクト部である、
請求項１に記載の現金処理装置。
【請求項３】
紙幣が投入される紙幣投入口と、
前記紙幣投入口に投入された紙幣を鑑別する紙幣鑑別部と、
紙幣が集積される集積部と、
前記集積部に集積された紙幣を結束する施封部と、
紙幣を収納する収納部と、
前記紙幣鑑別部による鑑別結果が所定の第１の施封対象金種を示す紙幣を前記集積部に集積させ、前記鑑別結果が前記第１の施封対象金種以外を示す紙幣を前記収納部に収納させ、前記収納部に収納された前記第１の施封対象金種以外を示す紙幣を前記紙幣投入口に返却する制御部と、
を備え、
前記制御部は、所定のトリガを検出すると、前記紙幣投入口に返却された前記第１の施封対象金種以外を示す紙幣を前記紙幣鑑別部に再鑑別させ、前記紙幣鑑別部による再鑑別結果が所定の第２の施封対象金種を示す紙幣を前記集積部に集積させ、前記再鑑別結果が前記第２の施封対象金種以外を示す紙幣を前記収納部に収納させる、
現金処理装置。
【請求項４】
前記集積部は、前記施封部が有する集積庫であり、
前記収納部は、前記紙幣投入口に投入された紙幣を一時的に保留可能な紙幣一時保留部である、
請求項３に記載の現金処理装置。
【請求項５】
前記制御部は、前記トリガの検出時に前記収納部から前記紙幣投入口に返却された紙幣枚数が最も多い金種を前記第２の施封対象金種として決定する、
請求項３または４に記載の現金処理装置。
【請求項６】
前記制御部は、前記紙幣鑑別部によって最初に認識された金種を前記第１の施封対象金種として決定する、
請求項１〜５のいずれか一項に記載の現金処理装置。
【請求項７】
前記制御部は、所定の第１の選択操作に基づいて前記第１の施封対象金種を決定する、
請求項１〜５のいずれか一項に記載の現金処理装置。
【請求項８】
前記制御部は、所定の第２の選択操作に基づいて前記第２の施封対象金種を決定する、
請求項１〜７のいずれか一項に記載の現金処理装置。
【請求項９】
前記トリガは、前記第１の施封対象金種の紙幣に対する結束を終了するための所定の状態の検出である、
請求項１〜８のいずれか一項に記載の現金処理装置。
【発明の詳細な説明】
【技術分野】
【０００１】
本発明は、現金処理装置に関するものである。
【背景技術】
【０００２】
昨今、複数枚の紙幣を施封して紙幣の束（以下、単に「紙幣束」とも言う。）を生成する技術が開示されている。例えば、紙幣束に古い紙幣が入り込んでいる場合に、生成される紙幣束に膨らみが生じてしまう場合があり、この膨らみによって紙幣束の搬送エラーが生じやすくなる。かかる搬送エラーを低減するために、紙幣束に膨らみが存在する場合に、この紙幣束に対して再度結束を行う技術が開示されている（例えば、特許文献１参照。）。
【先行技術文献】
【特許文献】
【０００３】
【特許文献１】特開２００９−１８１１６０号公報
【発明の概要】
【発明が解決しようとする課題】
【０００４】
しかし、操作者が生成したい紙幣束は１つである場合だけではなく、複数の紙幣束の場合もあり得る。ここで、操作者が複数の紙幣束を生成する場合には、最初の紙幣束の生成を指示した後、次の紙幣束の生成を指示するといった手順を採るのが一般的であり、複数の紙幣束を効率良く生成することができないのが一般的である。
【０００５】
そこで、本発明は、上記問題に鑑みてなされたものであり、本発明の目的とするところは、複数の紙幣束を効率良く生成することが可能な技術を提供することにある。
【課題を解決するための手段】
【０００６】
上記問題を解決するために、本発明のある観点によれば、紙幣が投入される紙幣投入口と、前記紙幣投入口に投入された紙幣を鑑別する紙幣鑑別部と、紙幣が集積される集積部と、前記集積部に集積された紙幣を結束する施封部と、紙幣を収納する収納部と、前記紙幣鑑別部による鑑別結果が所定の第１の施封対象金種を示す紙幣を前記集積部に集積させ、前記鑑別結果が前記第１の施封対象金種以外を示す紙幣を前記収納部に収納させる制御部と、を備え、前記収納部は、第１の収納部および第２の収納部を含み、前記制御部は、前記鑑別結果が所定の第２の施封対象金種を示す紙幣を前記第１の収納部に収納させ、前記鑑別結果が前記第１の施封対象金種以外および前記第２の施封対象金種以外を示す紙幣を前記第２の収納部に収納させ、前記制御部は、所定のトリガを検出すると、前記第１の収納部に収納されている前記第２の施封対象金種を示す紙幣を前記集積部に集積させる、現金処理装置が提供される。
【０００７】
前記集積部は、前記施封部が有する集積庫であり、前記第１の収納部は、前記紙幣投入口に投入された紙幣を一時的に保留可能な紙幣一時保留部であり、前記第２の収納部は、リジェクト紙幣を収納するリジェクト部であってよい。

【０００８】
また、本発明の別の観点によれば、紙幣が投入される紙幣投入口と、前記紙幣投入口に投入された紙幣を鑑別する紙幣鑑別部と、紙幣が集積される集積部と、前記集積部に集積された紙幣を結束する施封部と、紙幣を収納する収納部と、前記紙幣鑑別部による鑑別結果が所定の第１の施封対象金種を示す紙幣を前記集積部に集積させ、前記鑑別結果が前記第１の施封対象金種以外を示す紙幣を前記収納部に収納させ、前記収納部に収納された前記第１の施封対象金種以外を示す紙幣を前記紙幣投入口に返却する制御部と、を備え、前記制御部は、所定のトリガを検出すると、前記紙幣投入口に返却された前記第１の施封対象金種以外を示す紙幣を前記紙幣鑑別部に再鑑別させ、前記紙幣鑑別部による再鑑別結果が所定の第２の施封対象金種を示す紙幣を前記集積部に集積させ、前記再鑑別結果が前記第２の施封対象金種以外を示す紙幣を前記収納部に収納させる、現金処理装置が提供される。
【０００９】
前記集積部は、前記施封部が有する集積庫であり、前記収納部は、前記紙幣投入口に投入された紙幣を一時的に保留可能な紙幣一時保留部であってよい。
【００１０】
前記制御部は、前記トリガの検出時に前記収納部から前記紙幣投入口に返却された紙幣枚数が最も多い金種を前記第２の施封対象金種として決定してよい。
【００１２】
前記制御部は、前記紙幣鑑別部によって最初に認識された金種を前記第１の施封対象金種として決定してよい。
【００１３】
前記制御部は、所定の第１の選択操作に基づいて前記第１の施封対象金種を決定してよい。
【００１５】
前記制御部は、所定の第２の選択操作に基づいて前記第２の施封対象金種を決定してよい。
【００１６】
前記トリガは、前記第１の施封対象金種の紙幣に対する結束を終了するための所定の状態の検出であってよい。
【発明の効果】
【００１７】
以上説明したように本発明によれば、複数の紙幣束を効率良く生成することが可能となる。
【図面の簡単な説明】
【００１８】
【図１】本発明の実施形態に係る現金処理装置の構成を示す模式図である。
【図２】本発明の第１の実施形態に係る紙幣の種類ごとの搬送先の例を示す表である。
【図３】同実施形態に係る現金処理装置の動作の流れを示したフローチャートである。
【図４】同実施形態に係る現金処理装置の動作の流れを示したフローチャートである。
【図５】本発明の第２の実施形態に係る紙幣の種類ごとの搬送先の例を示す表である。
【図６】同実施形態に係る現金処理装置の動作の流れを示したフローチャートである。
【図７】同実施形態に係る現金処理装置の動作の流れを示したフローチャートである。
【発明を実施するための形態】
【００１９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２０】
また、本明細書および図面において、実質的に同一の機能構成を有する複数の構成要素を、同一の符号の後に異なる数字を付して区別する場合もある。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２１】
＜１．現金処理装置の概要＞
まず、本発明の一実施形態に係る現金処理装置の概要について説明する。昨今、複数枚の紙幣を施封して紙幣束を生成する現金処理装置が開示されている。しかし、操作者が生成したい紙幣束は１つである場合だけではなく、複数の紙幣束の場合もあり得る。ここで、操作者が複数の紙幣束を生成する場合には、最初の紙幣束の生成を指示した後、次の紙幣束の生成を指示するといった手順を採るのが一般的であり、複数の紙幣束を効率良く生成することができないのが一般的である。
【００２２】
そこで、上記の事情を鑑み、本実施形態においては、複数の紙幣束を効率良く生成することが可能な技術について主に提案する。
【００２３】
＜２．現金処理装置の構成＞
続いて、図１を参照して、本実施形態に係る現金処理装置の具体的な構成について説明する。図１は、本実施形態に係る現金処理装置１の構成を示す模式図である。なお、図１には、本発明の第１の実施形態に係る「現金処理装置１Ａ」および本発明の第２の実施形態に係る「現金処理装置１Ｂ」がまとめて「現金処理装置１」と示され、本発明の第１の実施形態に係る「制御部１５０Ａ」および本発明の第２の実施形態に係る「制御部１５０Ｂ」がまとめて「制御部１５０」と示されている。
【００２４】
図１に示すように、現金処理装置１は、紙幣投入口１０１と、紙幣一時保留部１０３と、紙幣鑑別部１０５と、万券カセット１０７と、五千券カセット１０９と、千券カセット１１１と、退避カセット１１３と、リジェクト部１１５と、を備える。また、現金処理装置１は、硬貨投入口１１７と、硬貨鑑別部１１９と、硬貨一時保留部１２１と、硬貨返却箱１２３と、出金ホッパ１２５と、硬貨回収庫１２７と、硬貨出金箱１２９と、を備える。
【００２５】
また、現金処理装置１は、カードリーダ部１３１と、操作表示部１３３と、レシートプリンタ部１３５と、制御部１５０と、を備える。現金処理装置１は、施封部１３７を備える。施封部１３７は、集積庫１３９を有している。
【００２６】
紙幣投入口１０１は、現金処理装置１に入金される紙幣が投入される投入口である。また、紙幣投入口１０１は、紙幣の出金口としても機能する。具体的には、紙幣投入口１０１は、売上入金の取り消しにより返却される紙幣、釣銭出金により出金される紙幣、および、紙幣鑑別部１０５により正常ではないとしてリジェクトされた紙幣（以下、「リジェクト紙幣」とも言う。）を出金する。
【００２７】
紙幣一時保留部１０３には、入金計数時および売上金作成時に、一時的に紙幣が集積される。また、紙幣鑑別部１０５は、投入された紙幣が正常な紙幣であるか否かを各種センサによって鑑別する。また、紙幣鑑別部１０５は、紙幣の金種も各種センサによって鑑別することが可能である。
【００２８】
万券カセット１０７、五千券カセット１０９、および千券カセット１１１は、それぞれ万券、五千券、および千券の紙幣を収納する現金収納部である。具体的には、万券カセット１０７、五千券カセット１０９、および千券カセット１１１（以下では、まとめて各紙幣カセットともいう）には、各種紙幣が釣銭準備金として収納される。また、各紙幣カセットには、売上として入金され、紙幣鑑別部１０５によって正常と鑑別された各種紙幣が収納される。さらに、釣銭出金時には、各紙幣カセットからそれぞれ各種紙幣が出金される。
【００２９】
退避カセット１１３は、売上回収のためのカセットである。具体的には、退避カセット１１３には、入金時または精算集計時に、各紙幣カセットから移動された紙幣が売上金として収納される。また、退避カセット１１３は、収納している紙幣を繰り出す機能も有している。
【００３０】
リジェクト部１１５には、紙幣鑑別部１０５によって正常な紙幣ではないと鑑別された紙幣、すなわちリジェクトされた紙幣が集積される。具体的には、リジェクト部１１５には、売上入金時に紙幣一時保留部１０３から各紙幣カセットに紙幣を搬送する過程でリジェクトされた紙幣、各紙幣カセットから釣銭出金を行う過程でリジェクトされた紙幣、精算集計時に各紙幣カセットから退避カセット１１３に紙幣を搬送する過程でリジェクトされた紙幣などが集積される。
【００３１】
リジェクト部１１５がフルになった場合であっても、紙幣投入口１０１から紙幣が搬送される場合には、紙幣投入口１０１が空になるまでリジェクト部１１５に紙幣が搬送されてよい。また、リジェクト部１１５がフルになった場合であっても、退避カセット１１３から紙幣が搬送される場合には、搬送１回につき最大枚数（例えば、１００枚まで）までリジェクト部１１５に紙幣が搬送されてよい。しかし、かかる状態においてリジェクト部１１５に紙幣が搬送された後は、取引継続不可となり、取引が終了されてよい。
【００３２】
硬貨投入口１１７は、硬貨が投入される投入口である。また、硬貨鑑別部１１９は、投入された硬貨が正常な硬貨であるか否かを各種センサによって鑑別する。また、硬貨鑑別部１１９は、硬貨の金種も各種センサによって鑑別することが可能である。さらに、硬貨一時保留部１２１には、入金計数時および精算集計時に、一時的に硬貨が集積される。
【００３３】
硬貨返却箱１２３は、硬貨の返却口であり、計数が行われた硬貨、売上入金の取り消しがなされた硬貨が返却される。また、出金ホッパ１２５は、売上入金によって投入された各種硬貨が収納される現金収納部である。例えば、出金時には出金ホッパ１２５から各種硬貨が出金される。
【００３４】
硬貨回収庫１２７は、売上回収のためのカセットである。具体的には、硬貨回収庫１２７には、精算集計時に出金ホッパ１２５から移動された硬貨が売上金として収納される。また、硬貨出金箱１２９は、釣銭出金時に硬貨を出金するための硬貨出金口である。
【００３５】
カードリーダ部１３１は、レジカードまたはＩＤカード等に書き込まれた情報を読み取る。レジカードまたはＩＤカード等に書き込まれる情報としては、例えば、カードを利用する操作者を識別するための識別情報、および、許可されている取引の種類を示す情報が挙げられる。カードリーダ部１３１により読み取られる情報が事前に登録されている情報と一致する場合、後述する制御部１５０は、現金処理装置１の利用を許可する。
【００３６】
なお、現金処理装置１は、カードリーダ部１３１に加えて、あるいは、カードリーダ部１３１に代えて、指紋認識を行う指紋認識部、または、暗証番号の入力を受け付ける暗証番号入力部等を有してもよい。
【００３７】
操作表示部１３３は、操作者による操作を検出する操作部としての機能と、各種画面を表示する表示部としての機能とを備える。表示部としての機能は、例えば、ＣＲＴ（Ｃａｔｈｏｄｅ  Ｒａｙ  Ｔｕｂｅ）ディスプレイ装置、液晶ディスプレイ（Ｌｉｑｕｉｄ  Ｃｒｙｓｔａｌ  Ｄｉｓｐｌａｙ：ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現することができる。また、操作部としての機能は、例えば、タッチパネルにより実現することができる。なお、表示部および操作部の機能は、分離して備えられていてもよい。
【００３８】
レシートプリンタ部１３５は、取引の結果が印字されたレシートを発行する。例えば、レシートプリンタ部１３５は、中断された取引の結果が印字された中断レシート、再開した取引の結果が印字された再開レシートを発行してもよい。また、レシートプリンタ部１３５は、複数枚の紙幣を施封した結果が印字された整理施封レシートを発行してもよい。
【００３９】
施封部１３７は、複数枚の紙幣を所定の枚数（例えば、１００枚等）ごとに結束する機能を有する。より具体的には、施封部１３７は、紙幣投入口１０１から搬送されて集積庫１３９に集積された紙幣が所定枚数に達した場合、集積庫１３９に集積された所定枚数の紙幣を施封して紙幣束を生成する。施封部１３７は、紙幣束の生成が完了すると、生成した紙幣束を外部に排出する。
【００４０】
制御部１５０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、およびデータ等を記憶するＨＤＤ（Ｈａｒｄ  Ｄｉｓｋ  Ｄｒｉｖｅ）装置等のデータ格納用記憶装置などで構成される。
【００４１】
このような制御部１５０により、現金処理装置１の動作全般が制御される。例えば、制御部１５０は、レジカードやＩＤカードによる認証が終了した場合、操作者が所望の処理を選択するためのメニュー画面を操作表示部１３３に表示させ、メニュー画面にて操作者が選択した処理の実行を制御してもよい。
【００４２】
＜３．第１の実施形態＞
続いて、本発明の第１の実施形態について説明する。
【００４３】
＜３．１．構成の説明＞
まず、第１の実施形態に係る現金処理装置１Ａの構成例について説明する。紙幣投入口１０１に操作者から紙幣が投入されると、紙幣鑑別部１０５に紙幣が搬送され、紙幣鑑別部１０５によって、紙幣投入口１０１に投入された紙幣が鑑別される。そして、制御部１５０Ａは、紙幣の鑑別結果に応じた搬送先に紙幣が搬送されるように、図示しない搬送部を制御する。図２は、本発明の第１の実施形態に係る紙幣の種類ごとの搬送先の例を示す表である。図２に示すように、制御部１５０Ａは、紙幣鑑別部１０５による鑑別結果が所定の「第１の施封対象金種」を示す紙幣を施封部１３７が有する集積庫１３９に集積させる。
【００４４】
一方、図２に示すように、制御部１５０Ａは、鑑別結果が第１の施封対象金種以外を示す紙幣（例えば、「リジェクト紙幣」、「第１の施封対象金種以外」の金種の紙幣等）を紙幣一時保留部１０３に収納させる。かかる構成により、最初に紙幣束にされる「第１の施封対象金種」の紙幣を集積庫１３９に集積させることが可能となるため、最初の紙幣束を生成するための準備を行うことが可能となる。したがって、複数の紙幣束を効率良く生成することが可能となる。
【００４５】
なお、「第１の施封対象金種」はどのように決定されてもよい。一例として、制御部１５０Ａは、紙幣鑑別部１０５によって最初に認識された金種を「第１の施封対象金種」として決定してよい。このように「第１の施封対象金種」が決定されれば、「第１の施封対象金種」が迅速に決定され得る。
【００４６】
第１の実施形態では、最初に認識された金種を「第１の施封対象金種」として決定する例を主に説明する。しかし、制御部１５０Ａは、第１の施封対象金種を選択するための所定の第１の選択操作に基づいて第１の施封対象金種を決定してもよい。
【００４７】
そして、制御部１５０Ａは、所定のトリガを検出すると、鑑別結果が所定の第２の施封対象金種を示す紙幣を集積庫１３９に集積させ、鑑別結果が第２の施封対象金種以外を示す紙幣を紙幣一時保留部１０３に収納させる。かかる構成により、２番目の紙幣束を生成するための準備を行うことが可能となる。また、このようなトリガ検出時における動作が連続的に実行されれば、複数の紙幣束が連続的に生成され得る。
【００４８】
なお、「第２の施封対象金種」はどのように決定されてもよい。一例として、制御部１５０Ａは、トリガの検出時に紙幣一時保留部１０３から紙幣投入口１０１に紙幣が返却される。このとき、制御部１５０Ａは、紙幣投入口１０１に返却された紙幣枚数が最も多い金種を第２の施封対象金種として決定してよい。このように「第２の施封対象金種」が決定されれば、紙幣の多い金種から順に紙幣束が生成されるため、効率良く紙幣束の生成を実行することが可能となる。
【００４９】
ここで、選択可能な施封対象金種の数は、２つに限定されず、複数であれば特に限定されない。しかし、選択可能な施封対象金種の最大数（例えば、４つなど）があらかじめ決められていてもよい。第２の実施形態では、このようにして「第２の施封対象金種」を決定する例を主に説明する。しかし、制御部１５０Ａは、第２の施封対象金種を選択するための所定の第２の選択操作に基づいて第２の施封対象金種を決定してもよい。
【００５０】
なお、トリガは特に限定されないが、第１の施封対象金種の紙幣に対する結束を終了するための所定の状態の検出（例えば、紙幣投入口１０１への紙幣の追加投入をキャンセルする操作の検出）であってよい。第１の実施形態においては、紙幣投入口１０１への紙幣の追加投入をキャンセルする操作の検出をトリガとする例を主に説明する。
【００５１】
また、第１の実施形態においては、鑑別結果が所定の第１の施封対象金種を示す紙幣が集積庫１３９に集積される例を説明するが、集積庫１３９の代わりに、何らかの集積部に紙幣が集積されてもよい。また、第１の実施形態においては、鑑別結果が所定の第１の施封対象金種以外を示す紙幣が紙幣一時保留部１０３に収納される例を説明するが、紙幣一時保留部１０３の代わりに、何らかの収納部に紙幣が収納されてもよい。
【００５２】
以上、第１の実施形態に係る現金処理装置１Ａの構成例について説明した。
【００５３】
＜３．２．動作の説明＞
続いて、第１の実施形態に係る現金処理装置１Ａの動作例について説明する。図３および図４は、第１の実施形態に係る現金処理装置１Ａの動作の流れを示したフローチャートである。図３に示したように、まず、制御部１５０Ａは、操作表示部１３３に所定の待機画面を表示させる（ステップＳ１０１）。
【００５４】
続いて、操作者がカードリーダ部１３１にカード（例えば、レジカードまたはＩＤカード等）をタッチし、カードリーダ部１３１によってカードから情報が読み取られると、カードから読み取られた情報に基づいて認証処理がなされる。認証処理が成功すると、制御部１５０Ａは、操作表示部１３３に所定の取引選択画面を表示させる（ステップＳ１０２）。取引選択画面には、項目「整理施封」が含まれている。
【００５５】
操作者が「整理施封」を選択する操作を行い、操作表示部１３３によって「整理施封」を選択する操作が検出されると、制御部１５０Ａは、紙幣投入口１０１のシャッタは開け、紙幣の投入誘導を行う（ステップＳ１０３）。例えば、投入誘導は、制御部１５０Ａが紙幣投入口１０１に紙幣を投入することを促すメッセージを操作表示部１３３に表示させることによって実現されてよい。制御部１５０Ａは、紙幣投入口１０１に紙幣投入がなされない場合には（ステップＳ１０４において「Ｎｏ」）、紙幣投入口１０１のシャッタを閉じ、ステップＳ２０１に動作を移行させる。
【００５６】
一方、制御部１５０Ａは、紙幣投入口１０１に紙幣投入がなされた場合には（ステップＳ１０４において「Ｙｅｓ」）、紙幣投入口１０１のシャッタを閉じ、紙幣鑑別部１０５に紙幣が搬送されるように図示しない搬送部を制御する。続いて、紙幣鑑別部１０５は、紙幣を鑑別して鑑別結果を得る。制御部１５０Ａは、鑑別結果に基づいて最初の施封対象金種（第１の施封対象金種）を決定する（ステップＳ１０５）。一例として、制御部１５０Ａは、紙幣鑑別部１０５によって最初に認識された金種を最初の施封対象金種として決定してよい。
【００５７】
続いて、制御部１５０Ａは、最初の施封対象金種の紙幣を施封部１３７の集積庫１３９に集積させ、最初の施封対象金種の紙幣以外の紙幣（例えば、最初の施封対象金種以外の金種の紙幣、リジェクト紙幣等）を紙幣一時保留部１０３に収納させる。施封部１３７は、集積庫１３９に集積された紙幣枚数を計数し（ステップＳ１０６）、紙幣枚数が所定枚数（例えば、１００枚等）に達した場合に、集積庫１３９に集積された所定枚数の紙幣を結束して排出する。なお、紙幣投入口１０１からの紙幣の繰り出しは、集積庫１３９の紙幣の移動開始とともに停止されてよいが、集積庫１３９に紙幣がなくなったら、再開されてよい。
【００５８】
制御部１５０Ａは、紙幣束の排出が完了すると、紙幣束の受取誘導を行う（ステップＳ１０７）。例えば、受取誘導は、制御部１５０Ａが施封部１３７から紙幣束を受け取ることを促すメッセージを操作表示部１３３に表示させることによって実現されてよい。ここで、制御部１５０Ａは、紙幣一時保留部１０３がフルになった場合には（ステップＳ１０８において「Ｙｅｓ」）、動作をステップＳ１０９に移行させる。
【００５９】
制御部１５０Ａは、紙幣投入口１０１に残留紙幣が有る場合には（ステップＳ１０９において「Ｙｅｓ」）、紙幣投入口１０１のシャッタを開け、当該残留紙幣の受取誘導を行い（ステップＳ１１０）、残留紙幣の受け取りが完了すると、紙幣投入口１０１のシャッタを閉じ、動作をステップＳ１１１に移行させる。例えば、受取誘導は、制御部１５０Ａが紙幣投入口１０１から紙幣を受け取ることを促すメッセージを操作表示部１３３に表示させることによって実現されてよい。一方、制御部１５０Ａは、紙幣投入口１０１に残留紙幣が無い場合にも（ステップＳ１０９において「Ｎｏ」）、動作をステップＳ１１１に移行させる。
【００６０】
ステップＳ１１１に動作が移行された場合、制御部１５０Ａは、紙幣一時保留部１０３に収納されている紙幣が紙幣投入口１０１に返却されるように図示しない搬送部を制御し（ステップＳ１１１）、紙幣投入口１０１のシャッタを開け、返却された紙幣の受取誘導を行う（ステップＳ１１２）。例えば、受取誘導は、制御部１５０Ａが紙幣投入口１０１に返却された紙幣を受け取ることを促すメッセージを操作表示部１３３に表示させることによって実現されてよい。紙幣投入口１０１に返却された紙幣の受け取りが完了すると、動作をステップＳ１０３に移行させる。
【００６１】
一方、制御部１５０Ａは、紙幣一時保留部１０３がフルになっていない場合（ステップＳ１０８において「Ｎｏ」）、紙幣投入口１０１に残留紙幣が有る場合には（ステップＳ１１３において「Ｙｅｓ」）、動作をステップＳ１０６に移行させるが、紙幣投入口１０１に残留紙幣が無い場合には（ステップＳ１１３において「Ｎｏ」）、追加投入確認を行う（ステップＳ１１４）。例えば、追加投入確認は、制御部１５０Ａが施封対象金種の紙幣を追加投入するか否かを選択するためのボタンを操作表示部１３３に表示させることによって実現されてよい。
【００６２】
操作者が、施封対象金種の紙幣を追加投入することを選択するためのボタンを押下し、操作表示部１３３によってそのボタン押下が検出された場合（ステップＳ１１５において「選択」）、制御部１５０Ａは、動作をステップＳ１０３に移行させる。一方、操作者が、施封対象金種の紙幣を追加投入することをキャンセルするためのボタンを押下し、操作表示部１３３によってそのボタン押下が検出された場合（ステップＳ１１５において「キャンセル」）、制御部１５０Ａは、動作をステップＳ２０１に移行させる。
【００６３】
続いて、制御部１５０Ａは、紙幣一時保留部１０３に残留紙幣が無い場合には（ステップＳ２０１において「Ｎｏ」）、動作をステップＳ２０５に移行させるが、紙幣一時保留部１０３に残留紙幣が有る場合には（ステップＳ２０１において「Ｙｅｓ」）、紙幣一時保留部１０３に収納されている紙幣が紙幣投入口１０１に搬送されるように図示しない搬送部を制御し（ステップＳ２０２）、紙幣投入口１０１のシャッタを閉じられたままにし、紙幣の追加投入確認を行う（ステップＳ２０３）。追加投入確認は、上記と同様に実現され得る。
【００６４】
操作者が、施封対象金種の紙幣を追加投入することを選択するためのボタンを押下し、操作表示部１３３によってそのボタン押下が検出された場合（ステップＳ２０４において「選択」）、制御部１５０Ａは、紙幣一時保留部１０３に収納されている紙幣が紙幣投入口１０１に返却されるように図示しない搬送部を制御し、紙幣投入口１０１のシャッタを開け、返却された紙幣の受取誘導を行い（ステップＳ２１２）、動作をステップＳ１０３に移行させる。返却された紙幣の受取誘導は、上記と同様に実現され得る。
【００６５】
一方、操作者が、施封対象金種の紙幣を追加投入することをキャンセルするためのボタンを押下し、操作表示部１３３によってそのボタン押下が検出された場合（ステップＳ２０４において「キャンセル」）、制御部１５０Ａは、動作をステップＳ２０５に移行させる。
【００６６】
続いて、制御部１５０Ａは、施封部１３７の集積庫１３９に残留紙幣が無い場合には（ステップＳ２０５において「Ｎｏ」）、動作をステップＳ２０７に移行させる。一方、制御部１５０Ａは、施封部１３７の集積庫１３９に残留紙幣が有る場合には（ステップＳ２０５において「Ｙｅｓ」）、異金種が混在した紙幣束が生成されることを防ぐため、図示しない施封フロントパネルを開けることによって、端数（集積庫１３９の残留紙幣）の受取誘導を行う（ステップＳ２０６）。制御部１５０Ａは、端数の受け取りが完了すると、動作をステップＳ２０７に移行させる。
【００６７】
続いて、制御部１５０Ａは、施封継続確認を行う（ステップＳ２０７）。施封継続確認は、制御部１５０Ａが次の金種で施封を継続するか否かを選択するためのボタンを操作表示部１３３に表示させることによって実現されてよい。操作者が、施封継続をキャンセルするためのボタンを押下し、操作表示部１３３によってそのボタン押下が検出された場合（ステップＳ２０８において「Ｎｏ」）、制御部１５０Ａは、紙幣投入口１０１のシャッタを開け、紙幣投入口１０１に返却された紙幣の受取誘導を行い（ステップＳ２１０）、施封部１３７による施封結果をレシートに印字させ（ステップＳ２１１）、動作をステップＳ１０１に移行させる。
【００６８】
一方、操作者が、施封継続を選択するためのボタンを押下し、操作表示部１３３によってそのボタン押下が検出された場合（ステップＳ２０８において「Ｙｅｓ」）、制御部１５０Ａは、紙幣投入口１０１を閉じたままにし、次の施封対象金種を決定し（ステップＳ２０９）、動作をステップＳ１０６に移行させる。このとき、制御部１５０Ａは、紙幣投入口１０１に返却された紙幣枚数が最も多い金種を第２の施封対象金種として決定してよい。また、紙幣投入口１０１が閉じたままにされることによって、操作者が紙幣投入口１０１から紙幣を取り出して再度投入する手間が省略される。
【００６９】
以上に説明したように、第１の実施形態によれば、操作者によって紙幣の施封指示が一度入力されれば、自動的な金種の認識または操作者による選択操作に基づいて、複数の施封対象金種およびそれらの順序が自動的に決定され、決定された複数の施封対象金種およびそれらの順序に基づいて、複数の施封対象金種の紙幣束が自動的に生成される。
【００７０】
したがって、第１の実施形態によれば、複数の紙幣束を効率良く生成することが可能となる。より具体的に、第１の実施形態によれば、操作者の操作性が向上し、複数の紙幣束の生成時間が短縮される。
【００７１】
以上、第１の実施形態に係る現金処理装置１Ａの動作例について説明した。
【００７２】
＜４．第２の実施形態＞
続いて、本発明の第２の実施形態について説明する。
【００７３】
＜４．１．構成の説明＞
まず、第２の実施形態に係る現金処理装置１Ｂの構成例について説明する。第２の実施形態においても、制御部１５０Ｂは、紙幣の鑑別結果に応じた搬送先に紙幣が搬送されるように、図示しない搬送部を制御する。図５は、本発明の第２の実施形態に係る紙幣の種類ごとの搬送先の例を示す表である。図５に示すように、制御部１５０Ｂは、紙幣鑑別部１０５による鑑別結果が所定の「第１の施封対象金種」を示す紙幣を施封部１３７が有する集積庫１３９に集積させる。
【００７４】
一方、図５に示すように、制御部１５０Ｂは、鑑別結果が所定の「第２の施封対象金種」を示す紙幣を紙幣一時保留部１０３に収納させる。また、図５に示すように、制御部１５０Ｂは、第１の施封対象金種以外および第２の施封対象金種以外を示す紙幣（例えば、「リジェクト紙幣」、「施封対象金種以外」の金種の紙幣等）をリジェクト部１１５に収納させる。
【００７５】
かかる構成により、最初に紙幣束にされる「第１の施封対象金種」の紙幣を集積庫１３９に集積させ、次に紙幣束にされる第２の施封対象金種の紙幣を紙幣一時保留部１０３に収納させることが可能となるため、最初の紙幣束を生成するための準備とともに２番目の紙幣束を生成するための準備を行うことが可能となる。したがって、複数の紙幣束をさらに効率良く生成することが可能となる。
【００７６】
なお、「第１の施封対象金種」および「第２の施封対象金種」はどのように決定されてもよい。一例として、制御部１５０Ｂは、所定の金種選択画面を操作表示部１３３に表示させ、金種選択画面において第１の施封対象金種を選択するための所定の第１の選択操作に基づいて第１の施封対象金種を決定してよい。また、制御部１５０Ｂは、金種選択画面において第２の施封対象金種を選択するための所定の第２の選択操作に基づいて第２の施封対象金種を決定してよい。なお、第２の実施形態では、２つの施封対象金種を選択する例を主に説明するが、３つ以上の施封対象金種が選択可能であってもよい。
【００７７】
第２の実施形態では、制御部１５０Ａが、第１の施封対象金種を選択するための所定の第１の選択操作に基づいて第１の施封対象金種を決定し、第２の施封対象金種を選択するための所定の第２の選択操作に基づいて第２の施封対象金種を決定する例を説明する。しかし、制御部１５０Ｂは、最初に認識された金種を「第１の施封対象金種」として決定し、トリガの検出時に紙幣一時保留部１０３から紙幣投入口１０１に返却された紙幣枚数が最も多い金種を第２の施封対象金種として決定してもよい。
【００７８】
そして、制御部１５０Ｂは、所定のトリガを検出すると、鑑別結果が第２の施封対象金種を示す紙幣を集積庫１３９に集積させ、鑑別結果が第１および第２の施封対象金種以外を示す紙幣をリジェクト部１１５に収納させる。かかる構成により、２番目の紙幣束を生成するための準備を行うことが可能となる。また、このようなトリガ検出時における動作が連続的に実行されれば、複数の紙幣束が連続的に生成され得る。
【００７９】
あるいは、制御部１５０Ｂは、第３の施封対象金種が選択されている場合には、所定のトリガを検出すると、鑑別結果が第２の施封対象金種を示す紙幣を集積庫１３９に集積させ、鑑別結果が第３の施封対象金種を示す紙幣を紙幣一時保留部１０３に収納させ、鑑別結果が第１〜第３の施封対象金種以外を示す紙幣をリジェクト部１１５に収納させればよい。かかる構成により、２番目の紙幣束を生成するための準備とともに３番目の紙幣束を生成するための準備を行うことが可能となる。また、このようなトリガ検出時における動作が連続的に実行されれば、複数の紙幣束が連続的に生成され得る。
【００８０】
なお、トリガは特に限定されないが、第１の実施形態と同様に、第１の施封対象金種の紙幣に対する結束を終了するための所定の状態の検出（例えば、紙幣投入口１０１への紙幣の追加投入をキャンセルする操作の検出）であってよい。第２の実施形態においては、紙幣投入口１０１への紙幣の追加投入をキャンセルする操作の検出をトリガとする例を主に説明する。
【００８１】
また、第２の実施形態においては、鑑別結果が所定の第１の施封対象金種を示す紙幣が集積庫１３９に集積される例を説明するが、集積庫１３９の代わりに、何らかの集積部に紙幣が集積されてもよい。また、第２の実施形態においては、鑑別結果が所定の第１の施封対象金種とは異なる所定の第２の施封対象金種を示す紙幣が紙幣一時保留部１０３に収納される例を説明するが、紙幣一時保留部１０３の代わりに、何らかの第１の収納部に紙幣が収納されてもよい。
【００８２】
さらに、第２の実施形態においては、鑑別結果が所定の第１の施封対象金種および所定の第２の施封対象金種以外を示す紙幣がリジェクト部１１５に収納される例を説明するが、リジェクト部１１５の代わりに、何らかの第２の収納部に紙幣が収納されてもよい。また、第２の実施形態においては、紙幣一時保留部１０３に収納されている紙幣が退避カセット１１３に退避される場合があるが、退避カセット１１３の代わりに他のカセットに退避されてもよい。
【００８３】
以上、第２の実施形態に係る現金処理装置１Ｂの構成例について説明した。
【００８４】
＜４．２．動作の説明＞
続いて、第２の実施形態に係る現金処理装置１Ｂの動作例について説明する。図６および図７は、第２の実施形態に係る現金処理装置１Ｂの動作の流れを示したフローチャートである。図６に示したように、まず、制御部１５０Ｂは、操作表示部１３３に所定の待機画面を表示させる（ステップＳ３０１）。
【００８５】
続いて、操作者がカードリーダ部１３１にカード（例えば、レジカードまたはＩＤカード等）をタッチし、カードリーダ部１３１によってカードから情報が読み取られると、カードから読み取られた情報に基づいて認証処理がなされる。認証処理が成功すると、制御部１５０Ｂは、操作表示部１３３に所定の取引選択画面を表示させる（ステップＳ３０２）。取引選択画面には、項目「整理施封」が含まれている。
【００８６】
操作者が「整理施封」を選択する操作を行い、操作表示部１３３によって「整理施封」を選択する操作が検出されると、制御部１５０Ｂは、リジェクト部１１５が空でない場合には（ステップＳ３０２において「Ｎｏ」）、リジェクト部１１５が空になるまで待機し、リジェクト部１１５が空である場合には（ステップＳ３０２において「Ｙｅｓ」）、所定の金種選択画面を操作表示部１３３に表示させる（ステップＳ３０４）。
【００８７】
金種選択画面において、操作者によって複数の施封対象金種を選択するための選択操作が行われると、操作表示部１３３は、その選択操作を検出する。このとき、操作者によって施封対象金種それぞれの順序も入力され、操作表示部１３３によって施封対象金種それぞれの順序も検出される。
【００８８】
続いて、制御部１５０Ｂは、紙幣投入口１０１のシャッタは開け、紙幣の投入誘導を行う（ステップＳ３０５）。例えば、投入誘導は、制御部１５０Ｂが紙幣投入口１０１に紙幣を投入することを促すメッセージを操作表示部１３３に表示させることによって実現されてよい。制御部１５０Ｂは、紙幣投入口１０１に紙幣投入がなされない場合には（ステップＳ３０６において「Ｎｏ」）、紙幣投入口１０１のシャッタを閉じ、ステップＳ４０１に動作を移行させる。
【００８９】
一方、制御部１５０Ｂは、紙幣投入口１０１に紙幣投入がなされた場合には（ステップＳ３０６において「Ｙｅｓ」）、紙幣投入口１０１のシャッタを閉じ、紙幣鑑別部１０５に紙幣が搬送されるように図示しない搬送部を制御する。続いて、紙幣鑑別部１０５は、紙幣を鑑別して鑑別結果を得る。制御部１５０Ｂは、最初の施封対象金種を示す紙幣を集積庫１３９に集積させ、次の施封対象金種を示す紙幣を紙幣一時保留部１０３に収納させ、最初の施封対象金種以外および次の施封対象金種以外を示す紙幣をリジェクト部１１５に収納させる。
【００９０】
続いて、施封部１３７は、集積庫１３９に集積された紙幣枚数を計数し（ステップＳ３０７）、紙幣枚数が所定枚数（例えば、１００枚等）に達した場合に、集積庫１３９に集積された所定枚数の紙幣を結束して排出する。なお、紙幣投入口１０１からの紙幣の繰り出しは、集積庫１３９の紙幣の移動開始とともに停止されてよいが、集積庫１３９に紙幣がなくなったら、再開されてよい。
【００９１】
制御部１５０Ｂは、紙幣束の排出が完了すると、紙幣束の受取誘導を行う（ステップＳ３０８）。例えば、受取誘導は、制御部１５０Ｂが施封部１３７から紙幣束を受け取ることを促すメッセージを操作表示部１３３に表示させることによって実現されてよい。ここで、制御部１５０Ｂは、紙幣一時保留部１０３がフルになった場合には（ステップＳ３０９において「Ｙｅｓ」）、紙幣一時保留部１０３に収納されている紙幣が退避カセット１１３に移動されるように図示しない搬送部を制御する（ステップＳ３１０）。
【００９２】
一方、制御部１５０Ｂは、紙幣一時保留部１０３がフルになっていない場合（ステップＳ３０９において「Ｎｏ」）、紙幣投入口１０１に残留紙幣が有る場合には（ステップＳ３１１において「Ｙｅｓ」）、動作をステップＳ３０７に移行させるが、紙幣投入口１０１に残留紙幣が無い場合には（ステップＳ３１１において「Ｎｏ」）、追加投入確認を行う（ステップＳ３１２）。例えば、追加投入確認は、制御部１５０Ｂが施封対象金種の紙幣を追加投入するか否かを選択するためのボタンを操作表示部１３３に表示させることによって実現されてよい。
【００９３】
操作者が、施封対象金種の紙幣を追加投入することを選択するためのボタンを押下し、操作表示部１３３によってそのボタン押下が検出された場合（ステップＳ３１３において「選択」）、制御部１５０Ｂは、動作をステップＳ３０５に移行させる。一方、操作者が、施封対象金種の紙幣を追加投入することをキャンセルするためのボタンを押下し、操作表示部１３３によってそのボタン押下が検出された場合（ステップＳ３１３において「キャンセル」）、制御部１５０Ｂは、動作をステップＳ４０１に移行させる。
【００９４】
続いて、制御部１５０Ｂは、紙幣一時保留部１０３に残留紙幣が無い場合には（ステップＳ４０１において「Ｎｏ」）、動作をステップＳ４０５に移行させるが、紙幣一時保留部１０３に残留紙幣が有る場合には（ステップＳ４０１において「Ｙｅｓ」）、紙幣一時保留部１０３に収納されている紙幣が退避カセットに移動されるように図示しない搬送部を制御し（ステップＳ４０２）、紙幣の追加投入確認を行う（ステップＳ４０３）。追加投入確認は、上記と同様に実現され得る。
【００９５】
操作者が、施封対象金種の紙幣を追加投入することを選択するためのボタンを押下し、操作表示部１３３によってそのボタン押下が検出された場合（ステップＳ４０４において「選択」）、制御部１５０Ｂは、動作をステップＳ３０５に移行させる。一方、操作者が、施封対象金種の紙幣を追加投入することをキャンセルするためのボタンを押下し、操作表示部１３３によってそのボタン押下が検出された場合（ステップＳ４０４において「キャンセル」）、制御部１５０Ｂは、動作をステップＳ４０５に移行させる。
【００９６】
続いて、制御部１５０Ｂは、退避カセット１１３に残留紙幣が無い場合には（ステップＳ４０５において「Ｎｏ」）、動作をステップＳ４０６に移行させる。制御部１５０Ｂは、施封部１３７の集積庫１３９に残留紙幣が無い場合には（ステップＳ４０６において「Ｎｏ」）、ステップＳ４１４に動作を移行させるが、施封部１３７の集積庫１３９に残留紙幣が有る場合には（ステップＳ４０６において「Ｙｅｓ」）、異金種が混在した紙幣束が生成されることを防ぐため、図示しない施封フロントパネルを開けることによって、端数（集積庫１３９の残留紙幣）の受取誘導を行う（ステップＳ４０７）。
【００９７】
制御部１５０Ｂは、端数の受け取りが完了すると、動作をステップＳ４１４に移行させる。続いて、制御部１５０Ｂは、施封部１３７による施封結果をレシートに印字させ（ステップＳ４１４）、動作をステップＳ３０１に移行させる。
【００９８】
一方、制御部１５０Ｂは、退避カセット１１３に残留紙幣が有る場合には（ステップＳ４０５において「Ｙｅｓ」）、ステップＳ４０８に動作を移行させる。制御部１５０Ｂは、施封部１３７の集積庫１３９に残留紙幣が無い場合には（ステップＳ４０８において「Ｎｏ」）、ステップＳ４１０に動作を移行させるが、施封部１３７の集積庫１３９に残留紙幣が有る場合には（ステップＳ４０８において「Ｙｅｓ」）、動作をステップＳ４０９に移行させる。
【００９９】
続いて、制御部１５０Ｂは、異金種が混在した紙幣束が生成されることを防ぐため、図示しない施封フロントパネルを開けることによって、端数（集積庫１３９の残留紙幣）の受取誘導を行う（ステップＳ４０９）。制御部１５０Ｂは、端数の受け取りが完了すると、動作をステップＳ４１０に移行させる。
【０１００】
続いて、施封部１３７は、退避カセット１１３に残留紙幣が有る場合には（ステップＳ４１０において「Ｙｅｓ」）、集積庫１３９に集積された紙幣枚数を計数し（ステップＳ４１１）、紙幣枚数が所定枚数（例えば、１００枚等）に達した場合に、集積庫１３９に集積された所定枚数の紙幣を結束して排出する。なお、紙幣投入口１０１からの紙幣の繰り出しは、集積庫１３９の紙幣の移動開始とともに停止されてよいが、集積庫１３９に紙幣がなくなったら、再開されてよい。
【０１０１】
制御部１５０Ｂは、紙幣束の排出が完了すると、紙幣束の受取誘導を行う（ステップＳ４１２）。例えば、受取誘導は、制御部１５０Ｂが施封部１３７から紙幣束を受け取ることを促すメッセージを操作表示部１３３に表示させることによって実現されてよい。一方、制御部１５０Ｂは、退避カセット１１３に残留紙幣が無い場合には（ステップＳ４１０において「Ｎｏ」）、施封対象金種として選択された複数の金種の順序を一つずつ繰り上げ、動作をステップＳ３０５に動作を移行させる。
【０１０２】
以上に説明したように、第２の実施形態によれば、操作者によって紙幣の施封指示が一度入力されれば、自動的な金種の認識または操作者による選択操作に基づいて、複数の施封対象金種およびそれらの順序が自動的に決定され、決定された複数の施封対象金種およびそれらの順序に基づいて、複数の施封対象金種の紙幣束が自動的に生成される。
【０１０３】
したがって、第２の実施形態によれば、第１の実施形態と同様に、複数の紙幣束を効率良く生成することが可能となる。特に、第２の実施形態によれば、集積庫１３９への１の施封対象金種の紙幣の集積に並行して、紙幣一時保留部１０３に他の施封対象金種の紙幣が収納されるため、複数の紙幣束の生成時間がより短縮される。
【０１０４】
以上、第２の実施形態に係る現金処理装置１Ｂの動作例について説明した。
【０１０５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０６】
例えば、第１の実施形態および第２の実施形態を順に説明したが、第１の実施形態および第２の実施形態のうちの一方は、他方を適宜に利用することが可能である。より詳細には、第１の実施形態に係る現金処理装置１Ａが有する機能および第２の実施形態に係る現金処理装置１Ｂが有する機能のうちの一方は、他方の機能に適宜変更することが可能である。
【０１０７】
例えば、第１の実施形態に係る現金処理装置１Ａにおいて、紙幣が紙幣投入口１０１に返却される例を説明した。しかし、紙幣が紙幣投入口１０１に返却される代わりに、退避カセット１１３に移動されるようにしてもよい。かかる場合には、紙幣投入口１０１に返却された紙幣の代わりに、退避カセット１１３に移動された紙幣が集積庫１３９に集積されてよい。
【０１０８】
また、第２の実施形態に係る現金処理装置１Ｂにおいて、紙幣が退避カセット１１３に移動される例を説明した。しかし、紙幣が退避カセット１１３に移動される代わりに、紙幣投入口１０１に返却されるようにしてもよい。かかる場合には、退避カセット１１３に移動された紙幣の代わりに、紙幣投入口１０１に返却された紙幣が集積庫１３９に集積されてよい。
【０１０９】
また、例えば、現金処理装置１の動作全体を制御するための制御部１５０は、専用のハードウェアによって構成されてもよいし、現金処理装置１に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【符号の説明】
【０１１０】
１（１Ａ，１Ｂ）  現金処理装置
１０１  紙幣投入口
１０３  紙幣一時保留部
１０５  紙幣鑑別部
１０７  万券カセット
１０９  五千券カセット
１１１  千券カセット
１１３  退避カセット
１１５  リジェクト部
１１７  硬貨投入口
１１９  硬貨鑑別部
１２１  硬貨一時保留部
１２３  硬貨返却箱
１２５  出金ホッパ
１２７  硬貨回収庫
１２９  硬貨出金箱
１３１  カードリーダ部
１３３  操作表示部
１３５  レシートプリンタ部
１３７  施封部
１３９  集積庫（集積庫）
１５０（１５０Ａ，１５０Ｂ）  制御部
【図１】
0006645072.tif 000002
【図２】
0006645072.tif 000003
【図３】
0006645072.tif 000004
【図４】
0006645072.tif 000005
【図５】
0006645072.tif 000006
【図６】
0006645072.tif 000007
【図７】
0006645072.tif 000008